Podtech/llm-jp-corpus-v4-ja_patent huggingface dataset:
(57)【要約】【課題】組立、接着が容易で、開閉時の摩擦音を軽減させると同時に扉の開閉における信頼性を向上させる扉付墓石用香炉の構造を提供する。【解決手段】本考案の扉付墓石用香炉構造は笠石の底面部に設けるピン挿孔と、扉石上部であって開閉の支点となる位置に設けるピン挿孔を、連結金具を固定し前記連結金具のピン孔へ連結金具の突出部を挿入することで扉石を固定し、扉石底部であって開閉の支点となる位置に突出部を設け、扉石上部の前記連結金具の突出部と扉石底部の突出部を支点として、扉石を開閉させることを特徴とする。【選択図】図１
0003172783.tif 000002
【実用新案登録請求の範囲】
【請求項１】
笠石と扉石を連結用金具にて連結させ、扉石の底部に突出部を設け、連結用金具と扉石底部の突出部を支点として扉石が開閉することを特徴とすると扉付墓石用香炉。
【請求項２】
前記連結用金具が笠石底部挿孔と扉石上部突出部であることを特徴とする請求項１に記載の扉付墓石用香炉。
【考案の詳細な説明】
【技術分野】
【０００１】本考案は、墓石前面に設置する線香、蝋燭立用香炉に関するものである。
【背景技術】
【０００２】従来、一般に墓石用香炉に観音開き式扉が付属するものの扉の取り付け構造は、例えば特開２００４−３６０４０６号や実用新案登録第３０９４６４３号に記載されているような、扉の上部と底部２点を金具等により回動自在に固定するものや、底部１点を金具等で固定するものが主流であり、どちらも組立、接着に精巧な技術が必要であり、生産性が課題となる。更に、底部１点を金具等で固定するものにおいては、石材という重量物であることから、信頼性にも課題があった。【０００３】金具の代わりに扉石の上部と底部に突出部を設け、笠石と台石にそれぞれ凹部を形成し、はめ込む工法も考案されたが、開閉時に摩擦音がする等の欠点がみられた。
【先行技術文献】
【特許文献】
【０００４】
【特許文献１】特開２００４−３６０４０６号（図６、図７）
【特許文献２】実用新案登録３０９４６４３号（図５、図６）
【考案の概要】
【考案が解決しようとする課題】
【０００５】本考案は上記問題を改善し、組立、接着が容易で、開閉時の摩擦音を軽減させると同時に扉の開閉における信頼性を向上させる扉付墓石用香炉の構造を提供することを課題とする。
【課題を解決するための手段】
【０００６】本考案の請求項１記載の扉付墓石用香炉構造は笠石の底面部に設けるピン挿孔と、扉石上部であって開閉の支点となる位置に設けるピン挿孔を、連結金具を固定し前記連結金具のピン孔へ連結金具の突出部を挿入することで扉石を固定し、扉石底部であって開閉の支点となる位置に突出部を設け、扉石上部の前記連結金具の突出部と扉石底部の突出部を支点として、扉石を開閉させることを特徴とする。【０００７】本考案の請求項２記載の墓石用香炉構造は笠石の底部に凹部を形成し、扉石上部に突出部を設け、笠石と扉石を連結させる構造を持つことを特徴とした請求項１に記載のものである。
【考案の効果】
【０００８】本考案に関わる請求項１記載の墓石用香炉構造によれば笠石と観音開き式扉石の連結は金具を用い、下部の連結は扉石の底部に半球型の突出部を設け、金具と突出部の２点を軸に開閉せしめる様にすることで、観音開き式扉付墓石用香炉の組立、接着を容易にすることができる。【０００９】また請求項２記載の墓石用香炉構造によれば開閉時の摩擦音を軽減することができる。
【図面の簡単な説明】
【００１０】
【図１】本考案の実施の一形態を示す正面図（斜視図）である。
【図２】図１の観音開き式扉付墓石用香炉構造の側面図である。
【図３】図１の連結金具を分解して示す断面図、斜視図、平面図、正面図、低面図である。
【図４】図１の観音開き式扉付墓石用香炉構造を分解して示す斜視図である。
【図５】図１の扉石を分解して示す平面図、正面図、側面図、底面図、斜視図、突出部７拡大図である。
【考案を実施するための最良の形態】
【００１１】以下本考案の実施の一形態を図１ないし図５を参照して詳細に説明する。図１は観音開き式扉付墓石用香炉の構造を示すもので、台石１の上に中石２が重ねられ、この上に笠石４が重ねられ、更に中石２の前面に扉石３が設置されている。笠石４の底部には図１、図２、図４、および図５に示すように断面円形のピン挿孔が形成されている。【００１２】また笠石４の下段、中石２の前面に位置する扉石３の上部に設ける回転支点部には図１および図５に示すように断面円形のピン挿孔が形成されており、また、図５に示すように扉石の底部に設ける回転支点部には半球状の突出部７が設けられている。【００１３】また連結金具８及び９はステンレスで形成された断面円形の回転連結金具であり、図３に示すように連結金具８の底部中心にピン孔１０が開孔されており、連結金具９に形成された突出部１１をピン孔１０に挿入する。【００１４】上記構成の観音開き式扉付墓石用香炉を組立てる場合、先ず図２に示すように台石１の上に中石２を重ね、笠石４底部のピン挿孔５に連結金具８を接着剤にて接着し、また扉石上部のピン挿孔６に連結金具９を接着剤にて接着する。【００１５】連結金具８のピン孔１０に連結金具９の突出部１１を挿入し、台石１と中石２、中石２と笠石４をそれぞれ接着剤にて接着する。【００１６】前記連結金具を使用せず、扉石上部に突出部を設ける構造としても良い。【００１７】上記手順により、容易に組立、取り付けを行う事ができ、開閉時の摩擦音も軽減されている。
【産業上の利用可能性】
【００１８】本公安の扉付墓石用香炉は、工業生産が可能である。
【符号の説明】
【００１９】１    台石
２    中石
３    扉石
４    笠石
５    ピン挿孔
６    ピン挿孔
７    突出部
８    連結金具
９    連結金具
１０  ピン孔
１１  突出部
【図１】
0003172783.tif 000003
【図２】
0003172783.tif 000004
【図３】
0003172783.tif 000005
【図４】
0003172783.tif 000006
【図５】
0003172783.tif 000007
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
笠石と扉石を連結用金具にて連結させ、扉石の底部に突出部を設け、連結用金具と扉石底部の突出部を支点として扉石が開閉することを特徴とすると扉付墓石用香炉。
【請求項２】
笠石底部にピン挿孔を設け、扉石の上部に突出部を形成し扉石と笠石を連結させ、笠石底部と扉石上部の連結部と扉石底部の突出部を支点として扉石が開閉することを特徴とする扉付墓石用香炉。
(57)【要約】      （修正有）【課題】ポシェット型に組み合せるレースの柄を作成し、ポシェットに変更可能なハンカチーフを提供する。【解決手段】ポシェット型に組み合す柄を念頭に取組んでレースの柄を作成し、レースハンカチーフの周りの刺繍穴に組紐を一周通すことによりポシェットに変更可能なハンカチーフである。更に、特殊消臭綿糸を使用したハンカチーフであると共に、静電気防止糸を使用したハンカチーフである。【選択図】図２
0003172786.tif 000002
【実用新案登録請求の範囲】
【請求項１】
ポシェット型に組合す柄を念頭に取組んでレースの柄を作成し、ポシェットに変更可能なハンカチーフ
【請求項２】
表糸に特殊消臭綿糸を使用した請求項１に記載のハンカチーフ。
【考案の詳細な説明】
【技術分野】
【０００１】  本考案は、レースハンカチーフのポシェットに関する。
【背景技術】
【０００２】  従来の刺繍レースを用いて女性用ハンカチーフを企画する等は一般的である。刺繍レースは一般のミシン同様表糸と裏糸の組合せで製品化されるものであり、レースは種々の柄が構成できる特長がある。柄を構成する表糸は規格に合う綿糸、レーヨン糸、合織糸等多品種の使用可能性は有る。
【考案の概要】
【考案が解決しようとする課題】
【０００３】  従来の刺繍レースの問題点は一般的な柄では組合せポシェット型にならない。
【課題を解決するための手段】
【０００４】  本考案は、ポシェット型に組合す柄を念頭に取組んでレースの柄を作成し、ポシェットに変更可能なハンカチーフである。【０００５】  本考案は、表糸に特殊消臭綿糸を使用したハンカチーフである。
【考案の効果】
【０００６】  本考案のハンカチーフは、レース専門デザイナーによるデザイン作成で、当初よりポシェット型に組合す柄を念頭に取組んで居りポシェットに簡単に変更可能である。【０００７】  又、ハンカチーフは表糸に特殊消臭綿糸を使用したので、ハンカチーフやポシェットはそのままで消臭効果を発揮する。更に衣服を初め身の回り品全般に付いた臭いを消臭ハンカチーフやポシェットを添えると消臭する。【０００８】  特殊消臭綿糸を使用したレースハンカチーフやポシェットは相当な回数の洗濯にも消臭効果が落ちず半永久的に持続する。
【図面の簡単な説明】
【０００９】
【図１】正方形のレースハンカチーフの平面図
【図２】レースハンカチーフの四辺に組紐を通した図
【図３】図２の組合せ丸型ポシェットの写生図
【図４】レースハンカチーフの上辺と下辺に別々に組紐を通した図
【図５】図４に組合せポシェットの写生図
【図６】レースハンカチーフの四つ折り畳みイロハニの四隅の穴をイの一ヶ所に集めて組紐を通す図
【図７】図６の組合せポシェットの写生図
【図８】レースハンカチーフの刺繍穴を矢印の方向に一周組紐を通す図
【考案を実施するための形態】
【００１０】  図１〜図８に基づいて実施例について説明する。
【実施例】
【００１１】  刺繍レースの柄を構成する刺繍穴は規則正しく配列しているので、ハンカチーフのサイズにカット加工の大小に拘らず刺繍穴の配列は変らず添付の組紐を刺繍穴に通して引張りポシェット型にする。【００１２】  レースハンカチーフの周りの刺繍穴に添付の組紐を一周通す。但し、Ａ点とＢ点の２ヶ所は組紐が女性の手首」が通る位の余裕を余らす為のＡ点Ｂ点の刺繍穴は通さずにしておく（図２参照）【００１３】  Ａ点Ｂ点の余した組紐を矢印の方向に引張る。丸く絞れるので図３の通り丸型ポシェットとなる。【００１４】  レースハンカチーフの上辺と下辺の２ヶ所の刺繍穴に組紐を別々に通しＣ点Ｄ点の矢印（図４）方向に引張ると（図５）のポシェット型に絞れる。【００１５】  レースハンカチチーフを四つ折に畳み四隅の刺繍穴を一ヶ所に集めて組紐を通し、（図６のイの穴に集める）女性の手首が通る余裕で輪を作り図７の四角形のポシェットになる。【００１６】  刺繍レースに特殊消臭綿糸を織り込むために、消臭効果は長時間に亘る。【００１７】  レースハンカチーフをポシェット型に組合すのに静電気防止糸を組み込んで製紐しているので、冬季の自動車ドア、玄関ドア等の静電気が発生する時の静電気防止に利用できる。
【符号の説明】
【００１８】１  ハンカチーフ
２  組紐
イ  穴
ロ  穴
ハ  穴
ニ  穴
【図１】
0003172786.tif 000003
【図２】
0003172786.tif 000004
【図３】
0003172786.tif 000005
【図４】
0003172786.tif 000006
【図５】
0003172786.tif 000007
【図６】
0003172786.tif 000008
【図７】
0003172786.tif 000009
【図８】
0003172786.tif 000010
【手続補正書】
【提出日】平成23年10月14日(2011.10.14)
【手続補正１】
【補正対象書類名】実用新案登録請求の範囲
【補正対象項目名】全文
【補正方法】変更
【補正の内容】
【実用新案登録請求の範囲】
【請求項１】
柄の周囲に刺繍穴を設けたレースであって、刺繍穴に組紐を通して組紐を引張ることでポシェットに変更可能なハンカチーフ。
【請求項２】
特殊消臭綿糸を使用した請求項１に記載のハンカチーフ。
【請求項３】
静電気防止糸を使用した請求項１又２に記載のハンカチーフ。
【手続補正２】
【補正対象書類名】明細書
【補正対象項目名】０００４
【補正方法】変更
【補正の内容】
【０００４】  本考案は、柄の周囲に刺繍穴を設けたレースであって、刺繍穴に組紐を通して組紐を引張ることでポシェットに変更可能なハンカチーフである。
(57)【要約】      （修正有）【課題】上腕部に装着できるよう半円筒状の上面にダンス練習時に視線の方向の指標となるための目印を設けたダンスの練習具を提供する。【解決手段】本練習具は、半円筒状の上面に適当な長さの支柱の先端に球状の目印を設けた。ダンスのスタンダード種目を踊る場合、首、顔、の向き視線の方向が重要視される。初心者にはその習得がむづかしいが、この練習具を使用することにより簡単に習得できる。【選択図】図４
0003172761.tif 000002
【実用新案登録請求の範囲】
【請求項１】
首、顔、視線の方向位置づけとなる目印を設置したダンス練習具で上腕又は肘先に取り付けできるダンスの練習具
【考案の詳細な説明】
【考案の詳細な説明】
社交ダンスには主としてスタンダード種目とラテン種目があるが、この発明はスタンダード種目のダンの練習に適した練習具である。ダンスを踊るとき特に女性は上半身や下半身の姿勢はもちろんのこと首、顔の向き視線の方向が重要視されるが初心者にはその習得がむずかしいものである。この発明はその練習が簡単にできるように考案されたものである
【構造の説明】
ダンスレッスン時に図に示すように当該練習具を左上腕部または肘先に図５および図６のマジックテープで固定する．
ダンスの練習中特に女性の首顔の向き視線の向きは特に大切でありこれが適切に行えるときは非常に美しいポーズとなる。したがって練習者本人がこれを使用することにより首顔視線の方向が矯正されて自然に美しいポーズでダンスが踊れるようになる。
【図１】
0003172761.tif 000003
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
半円筒形の基板（図の符号１）と基板１に支柱を介して設置した首、顔、視線の方向位置付けとなる目印３と基板１を上腕または肘先に取り付けるための面ファスナーを設けたダンスの練習具。
【手続補正２】
【補正対象書類名】明細書
【補正対象項目名】全文
【補正方法】変更
【補正の内容】
【考案の詳細な説明】
【０００１】  この発明は社交ダンスのスタンダード種目のダンスの練習に適した練習具である
ダンスのスタンダード種目を踊る場合、特に女性は上半身や下半身の姿勢はもちろんのこと首、顔、の向き視線の方向が重要視されるが初心者にはその習得がむづかしいものである
この発明はその練習がこの考案の練習具を使用することにより簡単にできるように考案されたものである。
【構造の説明】
【０００２】  半円筒形の基板１と基板に支柱２を介して設置した首、顔、視線の方向位置付けとなる目印３と基板を上腕または肘先に取り付けるための面ファスナ４をまたこの練習具を上腕または肘先に取り付ける際密着させるためのクッション材５を設けた構造を設けた構造をもつダンスの練習具。
【図面の簡単な説明】
【０００３】
【図１】  正面図
【図２】  右側面図  （左側面図も同じ）
【図３】  上面図
【図４】  立体図
【符号の説明】符号１は半円筒形の基板
符号２は目印となる３を設けた小円柱を挿入可能な円筒状の支柱で基板１の中央に設ける
符号４は基板１の中央部に取り付けた面ファスナーであり、上腕部に基板１をこていさせ        るものである
符号５は基板１の裏面に装着されたクッション材で上腕部に密着させるためのものである        。
【手続補正３】
【補正対象書類名】図面
【補正対象項目名】全図
【補正方法】変更
【補正の内容】
【図１】
0003172761.tif 000004
【図２】
0003172761.tif 000005
【図３】
0003172761.tif 000006
【図４】
0003172761.tif 000007
(57)【要約】      （修正有）【課題】全国の公営競技場にて投票カードが台紙なしでマークシートの記入が簡単に出来る、投票カードの収納ケースを提供する。【解決手段】複数枚の投票カードを開閉自在のケースに収納し、開いた時にはそのまますぐにマークシートに書き込む事が出来るようにケースを形成する。書き込んだマークシートを左手の親指でずらして取り出し易くしてカード入れとする。またビニール製又は、特殊素材の袋をケース内に装着し、予備の投票カードを収納ポケットに複数枚を収納、保存出来るようにしても良い。【選択図】図１
0003172764.tif 000002
【実用新案登録請求の範囲】
【請求項１】
▲イ▼複数枚の投票カードを開閉自在のケースに収納出来るように工夫し、開いた時にはそのまますぐにマークシートに書き込む事が出来る。書き込んだマークシートを左手の親指でずらして取り出し易くした事を特徴とした当たるかもカード入れ。▲ロ▼ビニール製又は、特殊素材の袋をケース内に装着し、予備の投票カードを収納ポケットに複数枚を収納、保存出来るように工夫した当たるかもカード入れ。
【考案の詳細な説明】
【考案の詳細な説明】
【産業上の利用分野】
【０００１】この考案は、全国の公営競技場にて投票カードが台紙なしでマークシートの記入が簡単に出来る投票カードに関するものである。
【背景技術】
【０００２】何処の公営競技場でもマークシートを書くのに台紙になるものは無く、みんな困っている。
【考案が解決しようとする課題】
【０００３】これには次のような欠点があった。（イ）マークシートを書くときに台紙になるものがないので、投票カードを１０枚ぐらい持って皆さん台紙がわりに使っている。（ロ）本考案はこれらの欠点を除くために考案された。
【課題を解決する為の手段】
【０００４】誰でも公営競技場へ行くと台紙がない為、マークシートへの書き込みが出来ないので大量のマークシートを無駄と分かっているが皆さん台紙がわりに使っているのが現状。
【考案実施の形態】
【０００５】本考案のカード入れに内設されたビニール袋に朝の一番に１０枚程度入れて、一枚ずつ取り出してカード入れに入れたままですぐにマークシートに書き込む事が出来るので、誰でもマークシートを無駄にする事はない。
【考案の効果】
【０００６】本考案は上述のとおり構成されているので次に記載する効果を奏する。このカード入れが一つあれば何回でも使う事が出来て誰でもマークシートも無駄にならず、競技場の主催者も資源の節約になり、マークシートもチラカス事はなくなる。
【図面の簡単な説明】
【０００７】
【図４】
【符号の説明】
【０００８】  １、    カード入れ本体  ２、    カードがスベルように誘導装置  ３、    本体の開閉用部材  ４、    当たりカード保管ポケット  ５、    当たりカード  ６、    マークシート投票カード  ７、    ビニール袋と本体接続部  ８、    マークシートレース案内数字  ９、    マークシートの書き込み数字欄１０、    着順番号１１、    ビニール袋の空欄箇所１２、    エンピツ１３、    エンピツ保持部材
【図１】
0003172764.tif 000003
【図２】
0003172764.tif 000004
【図３】
0003172764.tif 000005
【手続補正書】
【提出日】平成23年8月11日(2011.8.11)
【手続補正１】
【補正対象書類名】実用新案登録請求の範囲
【補正対象項目名】全文
【補正方法】変更
【補正の内容】
【実用新案登録請求の範囲】
【請求項１】
（１）マークシートを複数枚収納する箱を有し
（２）箱がマークシートの持ち上げを押え部材を４ヵ所に有する
（３）箱を開閉する２個のつまみ部材を有し
（４）誘導部材を（２）箱がマークシートをすべり上げをせる斜面を有した誘導部材
（５）箱内面に収納ポケットを有し
以上の構成からなるカード入れ。
【手続補正３】
【補正対象書類名】明細書
【補正対象項目名】０００７
【補正方法】変更
【補正の内容】
【０００７】
【図１】  開いたカード入れの内面図
【図２】  カード入れの断面図
【図３】  カード入れの閉じた斜視図の表
【図４】  カード入れの閉じた斜視図の裏
【手続補正５】
【補正対象書類名】明細書
【補正対象項目名】０００８
【補正方法】変更
【補正の内容】
【０００８】  １．    カード入れ本体
２．    カードがすべりやすいような誘導部材
３．      マークシート
４．    当りカード保管ポケット
５．    当りカード
６．    開閉部材
７．      開催地名
８．    マークシートの押え部材
９．    書き込み用エンピツ
１０．  着順番号
【手続補正６】
【補正対象書類名】図面
【補正対象項目名】全図
【補正方法】変更
【補正の内容】
【図１】
0003172764.tif 000006
【図２】
0003172764.tif 000007
【図３】
0003172764.tif 000008
【図４】
0003172764.tif 000009
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
（１）マークシートを複数枚収納する箱を有し、
（２）箱がマークシートの持ち上げを押させる押え部材を４ヵ所に有し、
（３）箱が、箱を開閉するための２個のつまみ部材を有し、
（４）箱が、マークシートをすべり上げさせる斜面を有した誘導部材を有し、
（５）箱が、箱内面に収納ポケットを有し、たことを特徴とするカード入れ。
(57)【要約】      （修正有）【課題】キーボードの「Ｆ」と「Ｊ」と「５」への指運びを正確且つ迅速に行うことができるキーを提供する。【解決手段】キーボードの「Ｆ」と「Ｊ」、およびテンキーの「５」には既に小突起が付けられ、触覚で識別できるように工夫されているが、指が正しく置かれているとの自信が無く、誤入力の元になっている。キーボードの「Ｆ」と「Ｊ」と「５」だけを他のキーの色と異なる色にする。触覚と視覚を併用することで、より速く正確に指運びができる。【選択図】図１
0003172766.tif 000002
【実用新案登録請求の範囲】
【請求項１】
キーボードに類した文字・数字の入力系の全て。
例：パソコン・テンキーパッド・電子辞書・タッチパネルなど
【考案の詳細な説明】
【技術分野】
【０００１】  本考案はキーボードの特定のキーの視覚的識別に関するものである。
【背景技術】
【０００２】  従来キーボードの「Ｆ」と「Ｊ」、およびテンキーの「５」には小突起が付けられ、触覚で判別できるように工夫されている。
【考案の概要】
キーボードの「Ｆ」と「Ｊ」、およびテンキーの「５」には既に小突起が付けられ、触覚で識別できるように工夫されているが、指が正しく置かれているとの自信が無く、誤入力の元になっている。
【考案が解決しようとする課題】  自信を持って素早く「Ｆ」と「Ｊ」、および「５」のキーに指を置きたい。
【課題を解決するための手段】  「Ｆ」と「Ｊ」、および「５」のキーだけ周囲のキーと異なる色にする。
【考案の効果】  触覚と視覚を併用することで、より速く正確に指運びができる。
【図面の簡単な説明】
【図１】  キーボードの「Ｆ」と「Ｊ」の色を他のキーと違える。
【図２】  テンキーの「５」の色を他のキーと違える。
【考案を実施するための形態】
「Ｆ」と「Ｊ」と「５」のキーの全部若しくは一部をその他のキーの色と違える。
【図１】
0003172766.tif 000003
【図２】
0003172766.tif 000004
【手続補正書】
【提出日】平成23年9月5日(2011.9.5)
【手続補正１】
【補正対象書類名】実用新案登録請求の範囲
【補正対象項目名】全文
【補正方法】変更
【補正の内容】
【実用新案登録請求の範囲】
【請求項１】
パソコンのキーボードの「F」と「J」と「５」のキー
【請求項２】
電子手帳のキーボードの「F」と「J」のキー
【請求項３】
テンキーパッドの「５」のキー
(57)【要約】      （修正有）【課題】室内外などに於て液体の自然蒸発を促し液体が零れにくくし、雨風の進入を防ぐことを可能にしたコントロールポットを提供する。【解決手段】ポット本体４の、蓋（ネジ込み式）１の下部２の所のポットの内側に、両サイドから、半月状のポット内庇形状内部５を施して有り、この部分が外側から見た時、庇形状下部３の様に屋根の庇が迫り出した形状にて庇形状式とした事により液体が零れにくく、雨風の進入をふせぐ事が出来、スムースな自然蒸発を促す事が出来る。【選択図】図４
0003172763.tif 000002
【実用新案登録請求の範囲】
【請求項１】
室内外に於て液体の自然蒸発を促すし液体が零れにくくする為と、雨風の進入を防ぐ為に、庇形状式を施したた所が特徴で有るコントロールポット。
【考案の詳細な説明】
【技術分野】
【０００１】  この考案は、室内外に於て目的に則した液体、芳香剤や殺虫剤、その他の水溶液等を入れて使用する為のポットに関する物で有る。
【背景技術】
【０００２】  従来のバケツ類やポット類では、大変に雨風の影響受をけ受けやすく雨がバケツやポットの中に入り込んで、液体を薄めたり又雨と一緒にバケツやポットの外に溢れ出したりと極めてやっかいな物が多く有った。
【先行技術文献】
【特許文献】
【０００３】
【特許文献１】
【非特許文献】
【０００４】
【非特許文献１】
【考案の概要】
【考案が解決しようとする課題】
【０００５】  本案の課題は、上記の如くその何れの物にも、簡易的要素の強い物が多く見られる点に着目、単に容器は入れ物としてだけでは無く、容器入口周辺の構造を工夫する事に寄って容器内に雨風が入りこんで液体等が薄められたり溢れ出したりしないようにする事を課題とす。
【考案を解決するための手段】
【０００６】  本考案では、上記課題の解決手段として、
図１に寄るポット本体（４）の、蓋（ネジ込み式）（１）の下部（２）の所のポットの内側に、図２の（５）で両サイドから、半月状の突起を施して有り、この部分が外側から見たとき、図１の（３）の様に庇が迫り出した形状にした事に寄り雨風の進入をふせぎ、図３に於ける（２）の下側（３）の所には大小の穴を施して、この穴の数で液体等の自然蒸発を促す事が庇形状式にした事でスムースなコントロールが出来、課題は解決出来た。
【考案の効果】
【０００７】  本考案は、上記に述べて来た諸々な点からも、野外等に置いては容器入口周辺の構造を庇形状式に工夫した事に寄り、容器内に雨風が入りこんで液体等が薄められたり溢れ出したりしなく成り、液体等の自然蒸発がスムースに促す事が出来るる用になった事、又、少々風が強く吹いてポットが揺れたり、作業中に手足等が激しく触れても、液がこぼれにくくする事が出来た。
【図面の簡単な説明】
【０００８】
【図１】本考案の正面図。
【図２】本考案の上からの斜視図。
【図３】本考案の下からの斜視図。
【図４】本考案の内部構造一部切欠断面図。
【考案を実施するための形態】
【０００９】  次に本案での実施の形態を述べると、この種の容器類は雨風が入り込み液体を薄めたり、溢れ出したりと扱いずらかった、雨風の進入を防ぐべく容器入り口付近を工夫しその構造を屋根の庇が迫り出した形、つまりは庇形状式とする事で厄介とされた問題を解決出来、高い木の上等での殺虫液他、目的に則した所で場所を選ばず使用可能と成った。
【実施例】
【００１０】  本考案の実施例として一実施例をせつめいする。図１に寄るポット本体（４）の、蓋（ネジ込み式）（１）の下部（２）の所のポットの内側に、図２の（５）で両サイドから、半月状の突起を施して有り、この部分が外側から見た時、図１の（３）の様に屋根の庇が迫り出した形状にて庇形状式とした事に寄り雨風の進入をふせぐ事が出来た。【００１１】  図３に於ける（２）の下側（３）の所には大小の穴を施して、この穴の数で液体等の自然蒸発を促す事が出来、庇形状式にした事でスムースなコントロールが出来るように成った。【００１２】  図３の（３）の部分は括れた構造と成って居て液体が零れにくく、野外等で図１の（４）を果実類の木に害虫や野鳥類を寄せ付けない為の殺虫液などを入れ図４の（７）の部分を吊り下げたり、畑などで害虫や野鳥類を寄せ付けない為、棒の先端に吊して使用する、又、家畜等の厩舎や加工工場等での芳香剤など、その他目的に応じて様々な使用が可能と成る。つまりは、目的に則した液体をポットの中に入れるだけで野外の雨風対策、作業時ぶつかっても液体が零れにくく庇形状式が特徴のコントロールポット。
【符号の説明】
【００１３】１    蓋（ねじ込み式）
２    庇形状部
３    庇形状下部（半月状）
４    ポット本体
５    ポット内庇形状内部（半月状）
６    ホット中央空間部
７    吊り下げ取っ手
８    液体
【図１】
0003172763.tif 000003
【図２】
0003172763.tif 000004
【図３】
0003172763.tif 000005
【図４】
0003172763.tif 000006
【手続補正書】
【提出日】平成23年7月22日(2011.7.22)
【手続補正１】
【補正対象書類名】実用新案登録請求の範囲
【補正対象項目名】全文
【補正方法】変更
【補正の内容】
【実用新案登録請求の範囲】
【請求項１】
・ポット本体と前記ポット本体の蓋（ねじ込み式）等を備えたポットで有って、前記ポット本体の蓋の下部に日本家屋の屋根の庇にヒントを得て庇形状部を形成し、前記庇形状部の下側に通気口で有る大小の穴を形成した事を特徴とするポット。
【手続補正書】
【提出日】平成23年10月13日(2011.10.13)
【手続補正１】
【補正対象書類名】実用新案登録請求の範囲
【補正対象項目名】全文
【補正方法】変更
【補正の内容】
【実用新案登録請求の範囲】
【請求項１】
・ポット本体と前記ポット本体の蓋を備えたポットで有って、前記ポット本体の蓋の下部に対応する位置に庇形状部を形成し、前記庇形状部の下側に通気口で有る大小の穴を形成した事を特徴とするポット。
(57)【要約】      （修正有）【課題】コンセントにプラグを長期間差し込んだ状態でも埃ゴミ等を遮断しトラッキング現象を防止するトラッキング防止コンセント箱装置を提供する。【解決手段】箱内にコンセントを取り付け、コンセントの奥に電線接続箇所を備え、電線接続箇所の全面に蓋を備える。【選択図】図１
0003172796.tif 000002
【実用新案登録請求の範囲】
【請求項１】
箱内にコンセントを取り付け、前記コンセントの奥に電線接続箇所を備え、前記電線接続箇所の前面に蓋を備えたことを特徴とするトラッキング防止コンセント箱装置。
【考案の詳細な説明】
【技術分野】
【０００１】  本考案は電気設備に関するトラッキング防止コンセント箱装置に関わるものである。
【背景技術】
【０００２】  従来のトラッキング現象防止コンセント箱装置の電線接続箇所の前面に蓋が備えてないので不便である。
【先行技術文献】
【特許文献】
【０００３】
【特許文献１】実用新案登録第３１６２９２４号
【考案の概要】
【考案が解決しようとする課題】
【０００４】  しかし、これでは電線取り入り取り出しの不便を生じるので不利である。
【課題を解決するための手段】
【０００５】  箱内にコンセントを取り付け、前記コンセントの奥に電線接続箇所を備え、前記電線接続箇所の前面に蓋を備えた。
【考案の効果】
【０００６】  よって、本考案は箱縦形に備え箱内に電線接続箇所を備え又、コンセントにプラグを長期間（冷蔵庫等）差し込んだ状態でも埃ゴミ等を遮断しトラッキング現象が発生しないので火災を起きないのと家具等の配置空間も少なくなる、又、コンセント、プラグが露出の状態でないので無邪気な乳幼児も親も不安を解消し安心である。
【図面の簡単な説明】
【０００７】
【図１】  本考案に係わる箱から成る突き出し枠とコンセント、プラグ、電線接続箇所、電線接続箇所の前面に蓋を備えた斜視図である。
【図２】  本考案に係わる化粧プレ−トの正面図と側面図である。
【図３】  本考案に係わるコンセント取り付け金具の正面図である。
【図４】  本考案に係わるコンセントに取り付け金具とコンセント化粧プレ−トと雌ネジに取り付けする斜視図である。
【図５】  本考案に係わる壁仕上り面に取り付けと壁に埋め込み状態のトラッキング防止コンセント箱装置の正面図と側面図である。
【考案を実施するための形態】
【０００８】  本考案に関わるトラッキング防止コンセント箱装置は図１，２，３，４，５に示すように箱１から成る突き出し枠１ａを備えその内側にコンセント７に取り付け金具８を取り付けする、その取り付け金具８のツメ８ｂにコンセント７の溝に合わせて挿入しその取り付け金具８の溝８ｃの所をコンセント７の溝に合わせてドライバ−等で押し込む８ｄ、コンセント７に電線接続１８し、その取り付け金具８とコンセント化粧プレ−ト９を合わせて雌ネジ４，４ａに取り付ける、又、電線接続箇所１３の前面に蓋１３ｂを備えた電線接続箇所１３はコンセント７の奥に備えた、電線接続方法は従来の接続１３ａを設けた、又、化粧プレ−ト１４を取り付ける際にコンセント７にプラグ１２を差し込んでコ−ド線１２ａをコ−ド線取り出し口１６に合わせて化粧プレ−ト１４を取り付ける。
【符号の説明】
【０００９】    １  箱（１ケ用スイッチボックス適用）    １ａ  突き出し枠
２  化粧プレ−ト用雌ネジ                ２ａ  化粧プレ−ト用雌ネジ
３  コンセントプラグ取出口
４  取り付け金具、化粧プレ−ト止雌ネジ
４ａ  取り付け金具、化粧プレ−ト止雌ネジ
５  蓋取り付けビス                      ５ａ  蓋取り付けビス
６  蓋取り付けビス                      ６ａ  蓋取り付けビス
７  コンセント                            ８  取り付け金具
８ａ  取り付け金具窓                      ８ｂ  取り付け金具ツメ
８ｃ  取り付け金具溝                      ８ｄ  押し込む
９  コンセント化粧プレ−ト              ９ａ  化粧プレ−ト窓
９ｂ  化粧プレ−ト孔                      ９ｃ  化粧プレ−ト孔
１０  取り付け金具孔                    １０ａ  取り付け金具孔
１０ｂ  取り付け金具、化粧プレ−ト止ビス
１０ｃ  取り付け金具、化粧プレ−ト止ビス
１１  電線取入り取出し口                １１ａ  電線取入り取出し口
１１ｂ  電線取入り取出し口                １１ｃ  電線取入り取出し口
１２  プラグ    １２ａ  コ−ド線          １３  電線接続箇所
１３ａ  電線接続  １３ｂ  蓋                １４  化粧プレ−ト
１５  すき間テ−プ                        １６  コ−ド線取り出し口
１７  化粧プレ−ト取り付け孔              １８  電線コンセントへ接続
【図１】
0003172796.tif 000003
【図２】
0003172796.tif 000004
【図３】
0003172796.tif 000005
【図４】
0003172796.tif 000006
【図５】
0003172796.tif 000007
(57)【要約】      （修正有）【課題】荷受兼取手部を、特殊チエン構造とし、チエンの片側を直立、片側を屈折自在とせしめ、不要時にはチエンを逆巻きとすることにより縮少せしめ、携行の便を図ったショッピングカーを提供する。【解決手段】車輪１と、軸に回動可能に取付けた、荷台２、倒れ止めストパ３、チエン４であり、先端部にハンドル５、を有し、荷を支えかつチエンの直立を可能とする荷受け兼直立補助用板６を設ける。チエン４の中間部には、フツク７を具備する。荷台２の一部は、チエン４を折りたためるように切り欠かれている。これにより、必要長さのチエンを直立せしめ、荷物を載せて搬送、不要時にはチエンを、車輪と荷台及び倒れ止めのサポートの一部を切り欠いたスペースに逆巻きし、ロツク不要にて、チエンの収納時の形状を大巾に縮少することを可能とする。【選択図】図１
0003172794.tif 000002
【実用新案登録請求の範囲】
【請求項１】
車軸と、その軸に回動可能に取付けた、荷台、倒れ止めストッパー、チエン、とによりなり、前記チエンには先端部ハンドル部を有し、片側は折りたたみを可能になされており、中間部にフツクを備えていることを特徴とする、携帯用折りたたみシヨツピングカー。
【考案の詳細な説明】
【技術分野】
【０００１】本考案は、携帯用折りたたみシヨツピングカーに関するものである。
【背景技術】
【０００２】シヨツピングカーまたはキヤリアカーには、バツグ付きとパイプ組み型とがあり、パイプ１本型と２本組み型、そして１段または複数段とに伸縮する型とがある。
複数段組みの場合には、夫々径違いのパイプをロツクする複雑な構造とされており、操作が煩雑となるうえ、カーボンパイプ使用の場合にはコスト高となる欠点があった。
本考案は、車輪、荷受台、倒れ止めサポート、とをそのまゝとし、荷受兼取手部を折りたたむ構造とし、簡便を図るものである。
【考案の概要】
【考案が解決しようとする課題】
【０００３】荷受兼取手部を、特殊チエン構造とし、チエンの片側を直立、片側を屈折自在とせしめ、不要時にはチエンを逆巻きとすることにより縮少せしめ、携行の便を図ったものである。
【課題を解決するための手段】
【０００４】即ち、必要長さのチエンを直立せしめ、荷物を載せて搬送、不要時にはチエンを、車輪と荷台及び倒れ止めのサポートの一部を切り欠いたスペースに逆巻きし、ロツク不要にて、チエンの収納時の形状を大巾に縮少することが可能となったものである。
【考案の効果】
【０００５】在来のシヨツピングカーまたはキヤリアカーは一般にはパイプ組み型が主流であり、伸縮させる場合には、径違いのパイプをロツクする方式とされていたが、本考案の方式では、パイプ構造をチエン構造とすることにより、ロツク機構の不要と、更に荷物の無い不要時には携行できるよう小型化も可能としたものである。
【図面の簡単な説明】
【０００６】
【図１】本考案の側面図
【図２】本考案の正面図
【図３】本考案のチエンを折り込んだ側面図
【考案を実施するための最良の形態】
【０００７】図１は本考案に係るシヨツピングカーの側面図
図２は本考案に係るシヨツピングカーの正面図である。
図３は、車輪（１）と、軸に回動可能に取付けた、荷台（２）、倒れ止めストパ（３）、チエン（４）であり、先端部にハンドル（５）、を有し、荷を支えかつチエンの直立を可能とする荷受け兼直立補助用板（６）を示す図である。
チエン（４）の中間部には、フツク（７）が具備されている。
荷台（２）の一部は、チエン（４）を折りたためるように切り欠かれている。
【符号の説明】
【０００８】１、車輪
２、荷台
３、倒れ止めストツパー
４、チエン
５、ハンドル
６、荷受け兼直立補助用板
７、フツク
【図１】
0003172794.tif 000003
【図２】
0003172794.tif 000004
【図３】
0003172794.tif 000005
(57)【要約】      （修正有）【課題】犬用シャンプーに金粉（金箔）を入れ、犬の皮膚の乾燥を防ぎ、新陳代謝を高め、犬の美容効果を高めることと、洗う側の手の皮膚の負担と、人の、犬を洗うという心の負担を、軽くする犬用シャンプーを提供する。【解決手段】透明感のあるシャンプーボトル１に、犬用シャンプー２を入れ、その中に、金粉（金箔）３を入れて、ふた４を閉める。金粉（金箔）の持つ  イオンにより、保湿と新陳代謝の活性を高め、犬への美容効果、また、洗う人の手もケアできる。このシャンプーを透明感のあるボトルに入れることにより、金粉（金箔）の持つ華やかさ、美しさで、犬を洗う人の心の楽しさを引き出し、お風呂場や、洗い場、どんなところに飾っても、美しく、人への心のケアにもなる。【選択図】図１
0003172795.tif 000002
【実用新案登録請求の範囲】
【請求項１】
ボトル本体の中に、犬用シャンプー液と金粉（金箔）を入れ、特に透明感のあるボトルから、中の金粉（金箔）の様子を見ることができる事を特徴とする犬用シャンプー。
【請求項２】
金粉（金箔）のイオン効果により、犬と、犬を洗う人の保湿（美容）や新陳代謝を高めることを特徴とする請求項１に記載の犬用シャンプー
【考案の詳細な説明】
【技術分野】
【０００１】本考案は、犬用シャンプー液に、金粉（金箔）を混入した保湿性に優れたシャンプー液に関するものである
【背景技術】
【０００２】近年、犬を飼われている環境は、住宅事情により特に都市部は、室内飼いが多くなっている。その為、人間と共存する室内の衛生状態を保つため、愛犬へのシャンプー頻度が増え、洗いすぎにより乾燥肌の犬の皮膚トラブルが増えている。また、犬を洗う側の人も、かなりの労力と大変さを伴う。
【先行技術文献】
【特許文献】
【０００３】
【特許文献１】実用新案出願平１１−９７２０
【非特許文献】
【０００４】
【非特許文献１】（株）キリカン洋行グルーミングジャーナル道具の真髄シャンプー＆コンデショナーのこだわり
【考案の概要】
【考案が解決しようとする課題】
【０００５】犬をシャンプーしすぎるということは、すなわち、犬体から必要な皮脂と水分も共に奪って皮膚の状態は、乾燥してしまう。また、飼い主の手の皮膚も荒れ易く、労力も使う。犬、人共に皮膚にも心にも負担である。従ってシャンプー剤に金粉（金箔）を混入することにより独自のイオンによる保湿作用と新陳代謝を高める作用、また見た目の華やかさで楽しく、犬、人共にその負担を解決しようとするものである。
【課題を解決するための手段】
【０００６】本考案は、透明感のあるボトルに、犬用シャンプー液に金粉（金箔）を入れ、金の持つ保湿効果とイオンによる新陳代謝を高め、また、その金粉（金箔）が入った犬用シャンプーの美しさ、華やかさで、洗う人側の心をも楽しませ、心のケアにもなり問題点を解決している。
【考案の効果】
【０００７】上記のように犬、飼い主の皮膚の保湿、新陳代謝を高める効果はもちろん、その金粉（金箔）入りのシャンプー液を透明のシャンプーボトルに入れることにより、金粉（金箔）がちりばめられた、その美しさと華やかさで、お風呂場に飾っても、またシャンプーをする時、手にシャンプー液を取っても、きれいで、人が楽しくなる心のケアまでできる、単なる犬用シャンプーに比べ、心身共に有益な考案となっている。
【図面の簡単な説明】
【０００８】
【図１】本考案の金粉（金箔）入りシャンプーの実施例を示す正面図である。
【考案を実施するための形態】
【０００９】シャンプーを入れるボトルは、中身が見える透明感のあるものを使用し、その中に犬用シャンプー液と金粉（金箔）を入れる。これにより、保湿効果、血行促進効果  心の癒し効果が増したシャンプー剤になる。
シャンプー液に金粉（金箔）が混ざりあった状態を眺めることができることにより、お風呂場などに置いても飾りにもなる。
【実施例】
【００１０】透明感のあるボトル１に、犬用シャンプー液２を入れ、金粉（金箔）３を混ぜる。
ふた４を閉める。
【符号の説明】
【００１１】１  シャンプーボトル本体
２  犬用シャンプー液
３  金粉（金箔）
４  ふた
【図１】
0003172795.tif 000003
【手続補正書】
【提出日】平成23年10月21日(2011.10.21)
【手続補正１】
【補正対象書類名】実用新案登録請求の範囲
【補正対象項目名】請求項１
【補正方法】変更
【補正の内容】
【請求項１】
ボトル本体の中に、犬用シャンプー液と金粉（金箔）を入れ、特に透明感のあるボトルから、中の金粉の様子を見ることができことを特徴とする犬用シャンプー（リンスイン、コンディショナーインタイプも含む）
(57)【要約】      （修正有）【課題】寝たきりになった高齢者や身障者が入浴するに際して、横になったままで入浴できる装置の一部であり、要介護者が移動の際、また入浴台と連結することで洗浄台として身体洗浄、洗髪もそのままの姿勢で実施できる装置を提供する。【解決手段】移動車輪のレール兼はずれ防止カバーに、洗浄台移動車輪のレール部分を設け、洗浄台１イ，１ロを包み込むように両横からカバーを立ち上げ、台のはずれを防ぐ洗浄台はずれ防止部分１１を配する。そのカバーの中に洗浄台を滑り込ませる装置であり、この装置をストレッチャー３６と組み合わせることで、要介護者の入浴を安全、容易に実施できる。【選択図】図３
0003172776.tif 000002
【実用新案登録請求の範囲】
【請求項１】
要介護者を移動させる手段として、ストレッチャー（３６）の上に移動車輪のレール兼はずれ防止カバー（３５）組み合わせ、中には車輪を取り付けた洗浄台（１い、１ろ）が滑り込み、要介護者が横になった姿勢で、移動と洗浄を可能にする構成の洗浄台兼ストレッチャー。
【考案の詳細な説明】
【技術分野】
【０００１】本考案は、要介護者が横になるだけで、浴槽に移送することが出来る介護用移送装置に関する。
【背景技術】
【０００２】従来要介護者を浴槽に移送する場合、車椅子ストレッチャーであったが、浴槽に入る際、再度抱きかかえる吊り上げる昇降装置に乗せる等、要介護者に負担がかかった。
【考案の概要】
【考案が解決しようとする課題】
【０００３】要介護者を介護用浴槽に移送する際、介護者の労力と、要介護者に与える負担の軽減を図るものである。【０００４】
【課題を解決するための手段】
【０００５】移動車輪のレール兼はずれ防止カバー［図１］は、洗浄台移動車輪のレール部分（１２い、１２ろ）を設け、洗浄台を包み込むように両横からカバーを立ち上げ［図２］台の外れを防ぐ洗浄台はずれ防止部分（１１）を配し、そのカバーの中に洗浄台を滑り込ませる［図３］。【０００６】［図５］浴槽上に停止する洗浄台は、浴槽連結台（３２）の上で一部接続するストレッチャーに洗浄台のもち手（３い、３ろ）を押して移動し、シャンプー枕（３４）を首元に当て、そのままの姿勢で身体洗浄、洗髪等を済ませることが出来る。
【考案の効果】
【０００７】本考案は、記載するように構成することによって入浴場所、浴槽に連接し要介護者の行動範囲を安全に容易にすると同時に、要介護者にとっても介護人にとっても労力負担を軽減させるものである。
【図面の簡単な説明】
【０００８】
【図１】移動車輪のレール兼はずれ防止カバー平面図。
【図２】ストレッチャー、移動車輪のレール兼はずれ防止カバー組み立て断面図。
【図３】移動車輪のレール兼はずれ防止カバーに洗浄台を組み込んだ断面図。
【図４】洗浄台兼ストレッチャー側面図。
【図５】浴槽上の入浴台、洗浄台側面図。
【図６】ストレッチャーに移動した洗浄台側面図。
【考案を実施するための形態】
【０００９】材質は軽く丈夫な素材強度なプラスチック、アルミなどを利用し出来るだけ水抜き穴（３３）などを開けて水はけのよい、水切れの良い移動車輪のレール兼はずれ防止カバー（３５）を作成しこの中に、洗浄台移動車輪のレール部分（１２い、１２ろ）を設けそのレール上を洗浄台移動車輪（６い、６に）がスライドすることで洗浄台そのものの移動も速やかにする。
【００１０】［図２］で見るようにストレッチャー（３６）の上部に移動車輪のレール兼はずれ防止カバー（３５）組み合わせ身体洗浄後、更衣室、病室に移動の際は下からタオルを当てるだけで水気が取れるシンプルな作りにする。
【００１１】［図５］は浴槽に入る前浴槽内で身体が浮く、回転する滑り込み等を防ぐ目的で身体固定ベルト（２３）を胸元で合わせ浴槽内へ上下動する。また浴槽内に入浴台を下ろす際、台がストレッチャー方向に移動するため、洗浄台を滑り込ませる位置（１９）でストレッチャーを手前に引き、連結台よりはずし入浴台が浴槽上に固定されて、再度浴槽連結台にストレッチャーを固定する。
【符号の説明】
【００１２】１い、１ろ、洗浄台
２、  洗浄台連結部分
３い、３ろ、もち手
１１、洗浄台はずれ防止カバー
１２、洗浄台移動車輪のレール部分
２３、身体固定ベルト
３２、浴槽連結台
３３、水抜き穴
３４、シャンプー枕
３５、移動車輪のレール兼はずれ防止カバー
３６、ストレッチャー
３７、筋交い
３８、車輪
３９、ネジ
【図１】
0003172776.tif 000003
【図２】
0003172776.tif 000004
【図３】
0003172776.tif 000005
【図４】
0003172776.tif 000006
【図５】
0003172776.tif 000007
【図６】
0003172776.tif 000008
【手続補正書】
【提出日】平成23年10月13日(2011.10.13)
【手続補正１】
【補正対象書類名】実用新案登録請求の範囲
【補正対象項目名】全文
【補正方法】変更
【補正の内容】
【実用新案登録請求の範囲】
【請求項１】
要介護者を移動させる手段としてストレッチャー（３６）の上に移動車輪のレール兼はずれ防止カバー（３５）を取り付け、カバーの中には洗浄台が滑り込む、洗浄台移動車輪のレール部分（１２イ〜１２ロ）を配置し、レール部分の両横を垂直に立ち上げ、先端部を中心に向け折り曲げ、上面に乗った要介護者が横になったままで、移動と洗浄を可能にする構成の洗浄台兼ストレッチャー。
(57)【要約】      （修正有）【課題】給水された水道水を小型で、外周への放熱と排出ガスを防止し、熱効率の高い加温をせしめ給湯する水道水加温給湯器を提供する。【解決手段】加温器本体を筒状形状とし、水道水栓蛇口４より連続給水された水を、円柱電熱ヒーター１９の熱を加温筒１８に熱電導加温せしめると同時に水の通路外周に七子目ローレット加工を施し水を乱流状態に変化させ、かつ水の接触面積を拡大する。加温器木体の内面と加温筒１８の外周空間を水が拡散流水加温され温水として給湯口１より給湯される。また、円柱電熱ヒーター１９は、ヒーターの温度調節器により温度調節される。【選択図】図２
0003172774.tif 000002
【実用新案登録請求の範囲】
【請求項１】
本請求は加温器本体と、加温器本体に備えてある電熱ヒーターの温度調節器を組み合わせとした水道水加温器であって、加温器本体には水道水蛇口に接続し水を供給するための蛇口アダプター、供給された水を外周に分散せしめ水を加温する円ヒーターを設けた加熱筒、加温された水を給湯蛇口にガイドする流水筒とした事を特徴とする水道水加温器である。
【考案の詳細な説明】
【技術分野】
【０００１】      本考案は、蛇口より供給された水を加熱し給湯に関するものである。
【背景技術】
【０００２】      一般家庭、事務室等において水道水を給湯する場合、電気瞬間湯沸器、電気温水器は利用されておらず現状は別置型のエネルギー損失が大きいガス湯沸かし器を設置し給湯している。
【先行技術文献】
【０００３】
【特許文献１】特開昭５０−７６６２９  公開特許公報
【特許文献２】公開実用新案公報  昭５５−１１９６３７
【考案の概要】
【考案が解決しようとする課題】
【０００４】      水道の水を給湯する手段として別置型湯沸器は付帯工事も多く、設置スペースも大きく、排気、排熱によるエネルギー損失で外気温度上昇及びガス湯沸かし器の場合温暖化ガス排出となっている。蛇口取付型については加温ヒーターが投込式型により水を貯蔵加熱機能方法のため水の連続供給加熱の場合、流速変化に追従されない。従って本考案はエネルギー損失が少なく温暖化ガス排出発生もなく、水量変化に左右されない機能を有し、前述の欠点を解決しようとするものである。
【課題を解決するための手段】
【０００５】      本考案は熱エネルギーの損失を抑えるため、小型化とし水量の変化に対応し、流水に等分布で加温すべく構造により課題解決とした。手段として水道蛇口により供給された水を流水筒１５で給湯蛇口１方向に流水せしめ、円柱電熱ヒーター１９で昇温された熱を加熱筒１８に熱伝導で加温、流水筒１５と加熱筒１８の空間を通路に水を通過させ加熱する事により流水が加温され温水として給湯蛇口１より給湯される。流水のっ接触面積を多くする機能、流水を乱流とする対策として水の通過外周に七子目のローレット加工を施し効率アップとしてあります。
【考案の効果】
【０００６】      上述の様に本考案は水道水を給湯するに当り取付場所が少なくて済み熱効率が高いためエネルギー損失が少なく排気、排熱が無いに等しい。蛇口への接続もワンタッチ着脱により簡単で便利な加温給湯器である。
【図面の簡単な説明】
【０００７】
【図１】      本考案の全体構成図である
【図２】      加温器本体の断面図である
【考案を実施するための形態】
【０００８】      水道水の蛇口に蛇口アダプターが接続口となっており蛇口アダプターには気密保持のパッキンが設けてあり、水道水の蛇口に押し込む事により接続となる。電源コンセントを差し込みヒーターコントロール箱のヒーター温度調節器を設定値に合わせ温度設定となる。水栓を開閉し水を供給する事により水を加温給湯とする形態である。不要の場合はコンセント、加温器本体各取り外しとする。
【実施例】
【０００９】      以下添付図面に従って一実施例を説明する。２は各部品を構成する加温器本体、３
は蛇口アダプターで、４水道水栓蛇口と接続水の給水口内面に気密シールパッキンにより水漏れを防止、８コントロール箱で、７ヒーター温度調節器、５ＡＣコンセント、６ヒーターリード線測温体付との結線を中継、付属機器として９ヒューズが設けてある。３蛇口アダプターと４水道水栓蛇口で接続され給水された水を１８の加熱筒で拡散せしめリング状に分散。１５の流水筒で１の給湯蛇口方向に流します。よって１９円柱電熱ヒーターにより１８加熱筒を加熱せしめる事により温水として、１給湯される。１０、１２、１３の各パッキン、及び１７Ｏリングは水漏れ防止用、１６カバーは委譲過昇温発生された場合の保護カバー。１４ヒーター保持板はヒーター抜け防止用とする。
【符号の説明】
【００１０】１    給湯蛇口
２    加温器本体
３    蛇口アダプター
４    水道水栓蛇口
５    ＡＣ１００Ｖコンセント
６    ヒーターリード線
７    ヒーター温度調節器
８    コントロール箱
９    ヒューズ
１０  パッキン（１）
１１  保持リング
１２  パッキン（２）
１３  パッキン（３）
１４  ヒーター保持板
１５  流水筒
１６  カバー
１７  Ｏリング
１８  加熱筒
１９  円柱電熱ヒーター
【図１】
0003172774.tif 000003
【図２】
0003172774.tif 000004
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
加温本体と加温給湯器本体に組込んだ電熱ヒーターの温度をコントロールする温度調節器を組合せた水道水加温給湯器であって、加温給湯器本体には水道水蛇口に  接続し水を供給するための蛇口アダプター、供給された水を外周に分散せしめ水を加温する円柱ヒーターを設けた加熱筒、加温された水を給湯蛇口にガイドする流水筒とを備えた事を特徴とする。